(57)【要約】【課題】鉄筋コンクリート建築物の梁や壁等に貫通孔を形成する際、両開口部の近傍に埋設される補強筋に対してスリーブを挟持可能な機能を持たせる。【解決手段】補強筋を、貫通孔の開口部以上の大きさを有して環状に設けられる一本あるいは複数本の鉄筋からなる補強枠部材１と、補強枠部材１に設けられ貫通孔形成部へのコンクリートの流入を阻止するためのスリーブＳを支持するためのスリーブ保持手段２と、により構成する。そして、このスリーブ保持手段２を、補強枠部材１の内側方向へ先端部を向けるように固定される複数本の保持腕３と、保持腕３の先端部に対して進退自在に設けられる一本あるいは複数本の係止部材４と、によって構成する。【選択図】    図３
2004225328.tif 000002
【特許請求の範囲】
【請求項１】
コンクリート建造物の梁等に貫通孔を形成する際、強度を確保するために両開口部近傍にそれぞれ埋設する補強筋であって、
この補強筋を、
貫通孔の開口部以上の大きさを有して環状に設けられる一本あるいは複数本の鉄筋からなる補強枠部材と、
前記補強枠部材に設けられ、貫通孔形成部へのコンクリートの流入を阻止するためのスリーブを支持するスリーブ保持手段と、
により構成し、
前記スリーブ保持手段を、
補強枠部材の内側方向に先端部を向けるよう補強枠部材に固定される複数本の固定腕と、
前記固定腕に設けられ補強枠部材の内側あるいは外側方向に向けて進退自在な一本あるいは複数本の係止部材と、
によって構成し、スリーブの外周をスリーブ保持手段によって挟持可能に構成したことを特徴とする補強筋。
【請求項２】
前記係止部材を備えてなる固定腕は、係止部材と固定腕との一方側を螺子棒により構成し、他方側を螺子棒に螺合するナット状部材により構成し、係止部材を回転させることによって係止部材を進退移動するよう構成したことを特徴とする請求項１記載の補強筋。
【請求項３】
前記スリーブ保持手段の係止部材は非腐食材によって形成する、あるいは係止部材の先端部位を非腐蝕材によって覆うようにしたことを特徴とする請求項１または２いずれか記載の補強筋。
【発明の詳細な説明】
【０００１】
【発明の属する技術分野】
この発明は、コンクリート建造物の梁や壁等に貫通孔を形成する際に貫通孔の両開口部近傍に埋設される補強筋に関するものであり、詳しくは貫通孔形成部へのコンクリートの流入を阻止するためのスリーブを挟持可能な保持手段を備えてなる補強筋に関するものである。
【０００２】
【従来の技術】
鉄筋コンクリート建造物の梁や壁等に対して各種の配管を通すための貫通孔を形成するには、まず紙管や塩化ビニール管からなる円筒状のスリーブを鉄筋に支持させ、次いで型枠設置後においてこのスリーブの上方から型枠内にコンクリートを打ち込む。そして、コンクリートの固化後に型枠を外すことによってスリーブ設置位置には貫通孔が形成され、このスリーブは抜き出されるか、またはその場に固定される。そして、形成した貫通孔に目的の配管を通した後、必要に応じて貫通孔内に再びコンクリートが打ち込まれ一連の作業は終了する。
【０００３】
ところで、貫通孔の開口部周縁の強度を確保するため、今日では貫通孔用の補強筋が広く利用されている。図７に示す１０は貫通孔用の補強筋であり、この補強筋１０はスリーブＳが挿通可能な適宜の大きさをなした環状の鉄筋部材と、スリーブＳの下方側に接する２本の支え足と、を備えて構成されている。
【０００４】
この補強筋１０およびスリーブＳを鉄筋に対して設置するには、スリーブＳの両端部の近傍に一対の補強筋１０をそれぞれ通し、この補強筋１０の支え足上にスリーブＳの両端部をそれぞれ載置させ、補強筋１０と鉄筋とが重なる各部位を針金や紐からなる複数本の結束線によって連結する。そして、この補強筋１０を複数の結束線とともにコンクリート内に埋設することによって該当部位の強度を確保する。
【０００５】
【非特許文献１】
特開２０００−１３６５９７号公報
【非特許文献２】
特開平１１−１９３５９９号公報
【０００６】
【発明が解決しようとする課題】
しかしながら、上記従来のスリーブ補強筋には次に挙げる不都合がある。
図７に示すように補強筋１０上に載せられたスリーブＳは、コンクリートの打ち込み時において位置ずれを起こし、これによって梁等に形成する貫通孔に位置ずれが生じるという看過できない重大な問題が発生する事がある。
【０００７】
すなわち、補強筋１０は複数の結束線によって鉄筋に固定されているが、スリーブＳにおいては補強筋１０の２本の支え足に載せたのみの不安定な状態となっているのでこの状態においてコンクリートを打ち込むと、スリーブＳがコンクリートの流動圧によって左右前後に揺動することになる。また、コンクリートがスリーブＳの下端に達するまで打ち込まれると、コンクリートよりも軽いスリーブＳはコンクリートの上面へと浮き上がり、コンクリート上面の上昇とともに上方へと移動することになる。
【０００８】
こうした不都合を解消するため、従来においては図８に示すように補強筋１０の幅よりも充分に長い鉄棒１１を用意し、この鉄棒１１の中央部位をスリーブＳの上端部に接触させ、鉄棒１１と鉄筋とが重なる各部位を複数の結束線によって連結固定するようにしている。すなわち、スリーブＳを補強筋１０と鉄棒１１との両者によって鉄筋に対し強固に固定することによってコンクリートの打ち込み時においてもスリーブＳが揺動あるいは移動することがないようにする対策がとられている。
【０００９】
しかしながら、図８に示すような鉄棒１１を複数本予め用意するとともに、これら鉄棒１１をスリーブＳに接触させた状態で鉄筋に対して固定するには煩雑で時間を要する作業を余儀なくされ、このスリーブ設置作業の能率を低下させる要因ともなっていた。
【００１０】
また、上述の作業時における問題とは別に、スリーブＳを固定するための鉄棒１１の存在は建造物の耐久性を低下させるという問題もある。すなわち、鉄棒１１はスリーブＳの上端と接触しているので、コンクリートの固化後においてスリーブＳを抜き出すと形成された貫通孔の内壁面（中央上部）には鉄棒１１の表面が一部露出した状態となる。換言すれば鉄棒１１とコンクリート表面との間に、当業者間で「かぶり厚」と称されるコンクリートの厚みを確保することが出来ないという問題が生じ、これによってこの鉄棒１１の露出部から鉄筋へと腐蝕が進行する虞がある。
【００１１】
一方、従来の補強筋においては次のような問題もある。従来において補強筋はスリーブＳの幅、換言すれば形成する貫通孔の内径に応じて大小さまざまな大きさのものが提供されていて、各現場および各箇所によって適宜使い分ける必要がある。すなわち、小型の補強筋の内側に大型スリーブを挿入設置することは不可能であり、また逆に大型の補強筋によって小型スリーブを設置するようにすると補強筋内の中心位置にスリーブが設置出来ない（中心より下方となる）という不都合が生じることになる。
【００１２】
このため、形成する各貫通孔に適応した大小の補強筋１０が各現場、各箇所においてそれぞれ何本づつ必要であるかを事前に計算した上で現場へと持ち込む必要が生じ、これを怠る、あるいは誤ると作業の進行に著しい支障をきたすことになる。
【００１３】
【課題を解決するための手段】
この発明に係る補強筋は、上記従来の課題を解決するためになされたものであり、補強筋を、貫通孔の開口部以上の大きさを有して環状に設けられる一本あるいは複数本の鉄筋からなる補強枠部材と、前記補強枠部材に設けられ、貫通孔形成部へのコンクリートの流入を阻止するためのスリーブを支持するスリーブ保持手段と、により構成する。
【００１４】
そして前記スリーブ保持手段を、補強枠部材の内側方向に先端部を向けるよう補強枠部材に固定される複数本の固定腕と、前記固定腕に設けられ補強枠部材の内側あるいは外側方向に向けて進退自在な一本あるいは複数本の係止部材と、により構成することによって、スリーブの外周をこのスリーブ保持手段により挟持可能にして、上記従来の課題を解決しようとするものである。
【００１５】
また、前記係止部材を備えてなる固定腕は、係止部材と固定腕との一方側を螺子棒により構成し、他方側を螺子棒に螺合するナット状部材により構成し、係止部材を回転させることによって係止部材を進退移動するよう構成しようとするものである。
【００１６】
そしてまた、前記スリーブ保持手段の係止部材を非腐食材により形成する、あるいは係止部材の先端部位を非腐蝕材によって覆うようにし、スリーブを抜き出した後に鉄筋部をコンクリート表面から露出しないように構成しようとするものである。
【００１７】
【発明の実施の形態】
図面に基づいてこの発明の実施の形態を説明する。
図１はこの発明の請求の範囲第１項ないし第３項に係る補強筋の一実施形態を示す正面図である。
【００１８】
図１は補強筋の全体を示す正面図であり、図において１は補強枠部材で、この補強枠部材１はコンクリート梁面等に形成する貫通孔の開口部以上の内径を有してなる環状の鉄筋からなっていて、この例においては８角形をなす環状の鉄筋が２本使用されている。
なお、この補強枠部材の形状はこれに限定されるものではなく、楕円形の鉄筋を複数本組み合わせたもの、一本の鉄筋を適宜長さで複数回折曲げて形成したもの等、いずれの形状のものであっても良い。
【００１９】
一方、２は補強枠部材１に設けられるスリーブ保持手段である。このスリーブ保持手段２は、補強枠部材１の内側方向に先端を向けるようにして補強枠部材に対し溶接される鉄棒からなる３本の固定腕３と、１本の固定腕３（図では上方の固定腕）の先端に設けられる係止部材４と、を備えている。
なお、図のスリーブ保持手段２おいては、固定腕３を３本設け、係止部材４を１体設ける例を示したが、固定腕３の本数および係止部材４の個数はこれに限定されるものではなく、必要に応じて更に追加しても良い。
【００２０】
また、スリーブ保持手段２において、係止部材４が設けられていない他の固定腕３（図では下方左右の固定腕）の各先端には非腐食性の材質により形成されるキャップ５が取り付けられ、鉄筋からなる固定腕３の先端部を露出することがないよう被覆している。なお、このキャップ５は非腐食性の材質であればその材質は特に限定されるものではなく、例えば、樹脂材、あるいは打ち込まれるコンクリートと同程度かそれ以上の硬度を有する、コンクリートやモルタルで形成しても良い。
【００２１】
そして、前記係止部材４は固定腕３の先端部より進退自在となっている。図２に示すように係止部材４を備える固定腕３は螺子棒によって形成されていて、係止部材４はこの螺子棒に螺合するナット状の内壁部を備え、その先端は丸みを帯びた形状となっている。
すなわち、このスリーブ保持手段２は、特別な道具を用いることなく係止部材４を指先等によって左右いずれかの方向に回転させることにより係止部材４を矢符に示すように進出あるいは後退させることが可能である。
【００２２】
なお、この係止部材４も前記キャップ５と同様に非腐蝕性の素材から形成されている。
【００２３】
以上のスリーブ保持手段２を有してなるこの補強筋は、容易かつ迅速にスリーブを保持することが可能である。すなわち、スリーブを保持するには図３に示すように、まずスリーブＳを３本の固定腕３の間に通し下方左右の各固定腕３上に載置する、次いで係止部材４を所定方向へ回転させ係止部材４の先端をスリーブＳの外周面に接するようにすれば良い。これによってスリーブＳは上下および左右の各方向からしっかりと支持されいずれの方向へも揺動あるいは移動することなく保持される。
【００２４】
そしてこの補強筋は鉄筋とともにコンクリート内に埋設され、コンクリート固化後にスリーブＳを抜き出した場合であっても、各固定腕３の先端には非腐食性樹脂材かなるキャップ５あるいは係止手段４がそれぞれ設けられているので鉄筋部がコンクリート表面から露出してしまうことはなく、鉄筋部の露出部から進行する腐蝕を防止することが可能である。
【００２５】
一方、図４は補強筋に設置するスリーブ保持手段２の第２の実施形態を示す断面図である。図４に示すスリーブ保持手段２は、補強枠部材１に固定される固定腕３がナット状部材により形成され、また係止部材４は固定腕３に螺合する螺子棒により形成されている。
なお、この例において螺子棒からなる係止部材４は金属棒からなっていて先端部位には非腐蝕材からなるキャップ５が設けられている。また、係止部材４の後端部（図では上端部）にはドライバーの係合溝が形成されていて、手動ドライバーあるいは電動ドライバー等の使用により容易に進退移動可能となっている。
【００２６】
また、図５は補強筋に設置するスリーブ保持手段２の第３の実施形態を示す断面図である。図５に示すスリーブ保持手段２は、固定腕３の先端部近傍に形成される螺子孔に対して螺子部を螺合する回転つまみ部材６と、この回転つまみ部材６の螺子部を挿入するスリット４ａを備えてなる係止部材４と、を備えて構成されている。
また、係止部材４のスリット４ａは固定腕３の長手方向に形成されており、これによって係止部材４は矢符に示すように進退可能となっている。そして、回転つまみ部材６によって係止部材４を固定腕３へと締付けることによって係止部材４を所定位置で固定することが出来る。
【００２７】
このスリーブ保持手段２もまた図２に示した上述のスリーブ保持手段２と同様に特別な道具を使用することなくスリーブＳを迅速かつ容易に保持することが可能である。
【００２８】
一方、図６はこの発明の請求の範囲第１項ないし第３項に係る補強筋の他の実施形態を示す正面図である。次に図６に基づいてこの補強筋の説明をする。なお、図１ないし図３で説明した補強筋と同一箇所には同一符号を付して重複説明は省略する。
【００２９】
図６に示す補強筋に設けられるスリーブ保持手段２は、３本の固定腕３と、これら各固定腕３の先端に対してそれぞれ設けられる３体の係止部材４と、を備えてなっている。
【００３０】
この補強筋も上述の補強筋と同様にスリーブ保持手段２によってスリーブＳを移動することなくしっかりと挟持可能であることは勿論であり、更にこの補強筋においては大きさの異なるスリーブＳであっても適正に支持することが出来るという利点がある。
すなわち、３本の固定腕３にそれぞれ設けられた各係止手段４の進出長さを適宜に変化させることによって、これらの間の幅（内径）を容易に変化させることが出来、小さいスリーブから大きいスリーブまで、スリーブの大小に関わらず、いずれもスリーブであっても補強筋の中心位置でしっかりと保持することが可能である。
【００３１】
これによって、構造計画上許される範囲内で大小のスリーブに同一の補強筋を利用することが出来、例えば大きさの異なる大小の補強筋を容易する等の手間を省略して作業能率を向上させることが可能である。
【００３２】
なお、この補強筋に設置するスリーブ保持手段２は、図２および図４、図５に示したスリーブ保持手段２のいずれであっても良く、またこれらを組み合わせたものであっても良い。
【００３３】
また、図１および図６に示した補強筋はいずれも固定腕を３本備えた例を示したが、固定腕の本数はこれに限定されるものではなく、また係止部材４の本数も必要に応じて追加しても良いことは無論である。
【００３４】
【発明の効果】
この発明に係る補強筋は、以上説明したように補強枠部材に対してスリーブ保持手段を設け、このスリーブ保持手段を補強枠部材の内側方向に向けて固定される複数本の固定腕と、この固定腕の先端部に対し進退自在に設けられる一本あるいは複数本の係止部材と、によって構成したので次に挙げるような種々の効果を有する。
【００３５】
この補強筋によれば、スリーブ保持手段によってスリーブの外周方向からスリーブをしっかりと挟持することが出来、これによってコンクリート打ち込み時におけるスリーブの揺動および移動を完全に阻止して貫通孔形成位置ずれを解消することが可能となる。
【００３６】
また、鉄棒を利用してスリーブを固定する煩雑な作業を省略するとともに、固定腕および係止部材に設けた非腐蝕材によってコンクリート表面からの鉄棒の露出問題を解決する事が出来、作業能率の向上とともに建造物の耐久性を確保することが可能となる。
【００３７】
一方、複数の固定腕に対し、それぞれ係止部材を設けることによって、大きさの異なる大小のスリーブであっても補強筋の中心位置にしっかりと挟持することが可能となる。これによって、構造計画上許される範囲内で大小のスリーブに同一の補強筋を利用することが出来、大小の補強筋を用意する等の手間を省略して作業能率を向上させることが可能となる。
【図面の簡単な説明】
【図１】この発明の請求の範囲第１項ないし第３項に係る補強筋の一実施形態を示す正面図である。
【図２】図１に示した補強筋に対して設けられるスリーブ保持手段の構成例を示す断面図である。
【図３】図１に示した補強筋のスリーブ保持手段によってスリーブを挟持した状態を示す正面図である。
【図４】補強筋に設置するスリーブ保持手段の他の実施形態を示す断面図である。
【図５】補強筋に設置するスリーブ保持手段の他の実施形態を示す断面図である。
【図６】この発明の請求の範囲第１項ないし第３項に係る補強筋の他の実施形態を示す正面図である。
【図７】従来の補強筋によりスリーブを鉄筋に対して保持した状態を示す外観斜視図である。
【図８】図７に示した従来の補強筋と鉄棒とによりスリーブを保持した状態を示す正面図である。
【符号の説明】
１    補強枠部材
２    スリーブ保持手段
３    固定腕
４    係止部材
Ｓ    スリーブ
【図１】
2004225328.tif 000003
【図２】
2004225328.tif 000004
【図３】
2004225328.tif 000005
【図４】
2004225328.tif 000006
【図５】
2004225328.tif 000007
【図６】
2004225328.tif 000008
【図７】
2004225328.tif 000009
【図８】
2004225328.tif 000010